(57)【要約】【課題】  小型で、携帯性にすぐれ、また片手で薬液投与量を設定し、そして確実な投与が可能な、操作性の優れた薬液投与装置を提供する。【解決手段】  薬液投与量を設定するための投与量設定ダイヤル５と、薬液投与のための投与ボタン６と、シリンジアンプル９から薬液を押出すピストンロッド１７と、薬液投与量を表示する目盛３１を備え、投与量設定ダイヤル５と付随するダイヤルギヤ１４と、ダイヤルギヤ１４とピストンロッド１７との動力を伝達、切断するクラッチ１３を備え、薬液投与時にまず投与ボタン６を押下することで、クラッチ１３によりダイヤルギヤ１４とピストンロッド１７の動力を伝達可能とし、続いて投与ボタン６をさらに押下することで、設定した薬液投与量に応じてピストンロッド１７が移動し薬液が投与可能な構成とした。【選択図】  図２
2005261685.tif 000002
【特許請求の範囲】
【請求項１】
薬液が封入されたシリンジアンプルを挿着可能であり、
所望の薬液量を設定して投与可能とするため、薬液投与量設定時において投与量設定ダイヤルを回転させて、前記投与量設定ダイヤルと接続された投与ボタンを、所望の薬液投与量に応じて本体ハウジングの長手方向、かつ本体ハウジングの外側方向に押出する投与量設定機構と、
薬液投与時において前記投与ボタンを押下することにより、前記投与ボタンに接続しているピストンロッドが移動して、薬液を封入する前記シリンジアンプルの封止材を押出することにより、前記設定した所望の薬液投与量を投与可能な投与機構を有する薬液投与装置であって、
前記投与量設定機構、及び投与機構は、
前記投与ボタンと接続可能な投与ハウジングと、
前記投与ボタンと接続可能な投与ボタンホルダーと、
前記投与量設定ダイヤルと結合し、かつ前記投与ハウジングとも結合しているダイヤルギヤと、
前記ダイヤルギヤと、前記ピストンロッドとの間の動力伝達を接続、或いは切断するクラッチと、
投与時において前記投与ボタンを押下すると、前記投与ボタンが前記投与ボタンホルダーと接続し、前記投与ボタンホルダーが前記クラッチを駆動し、前記ダイヤルギヤと、前記ピストンロッドとの間の動力伝達を可能にするクラッチ機構と、を備え、
前記投与ボタンをさらに押下することで、前記投与ボタンと、前記投与ハウジングとが接続し、前記クラッチ機構により、前記投与ハウジングと接続している前記ダイヤルギヤと、前記ピストンロッドとが接続し、薬液を封入している前記シリンジアンプルの封止材を前記ピストンロッドが押出することにより、設定した所望の薬液投与量を投与可能とした、
ことを特徴とする薬液投与装置。
【請求項２】
請求項１に記載の薬液投与装置において、
前記投与ボタンの一端が、二股に分割された構造を有し、
該分割部分の各先端に爪部を、前記投与ボタンホルダーの両側壁内面に鋸部を、前記投与ハウジングの一部に楔状突起を備え、
前記投与ボタンを押下した際に、前記投与ハウジングの一部に備わる楔状突起が、前記投与ボタンの前記両分割部分の根本を押し広げ、前記投与ボタンの先端部が広がることで、前記投与ボタン爪部が、前記投与ボタンホルダーの鋸部に係合する、
ことを特徴とする薬液投与装置。
【請求項３】
請求項２に記載の薬液投与装置において、
前記投与ボタンホルダーの一部に備わる鋸部の断面形状が、直角三角形、もしくは鈍角三角形であり、
鋭角を構成する頂点と、直角もしくは鈍角を構成する頂点とを結ぶ前記三角形の一辺が、前記投与ボタンの動作方向に平行し、
前記三角形の最も鋭角となる角が、前記投与ボタンの投与時に押下する方向に設けられた、
ことを特徴とする薬液投与装置。
【請求項４】
請求項１に記載の薬液投与装置において、
前記投与ボタンホルダーと前記クラッチとの間に、前記投与ボタンホルダーの動作方向の力を、前記クラッチの動作方向の力へ変換するためのクラッチプレートを備えた、
ことを特徴とする薬液投与装置。
【請求項５】
請求項１に記載の薬液投与装置において、
前記クラッチと前記ダイヤルギヤとの間にバネ作用要素を設け、
前記バネ作用要素は、クラッチ機構の非動作時に、常に前記クラッチと前記ダイヤルギヤとの係合を開放させる、
ことを特徴とする薬液投与装置。
【請求項６】
請求項１に記載の薬液投与装置において、
前記クラッチと、前記ダイヤルギヤと、前記投与量設定ダイヤルと、が平行に配置され、
前記クラッチと前記ダイヤルギヤとは、相対する面に相互に、該クラッチと該ダイヤルギヤとを相互に係合可能な凹凸リブを備え、
クラッチ動作時に前記相互の凹凸リブが係合することにより、前記ダイヤルギヤの動力が前記クラッチに伝達する、
ことを特徴とする薬液投与装置。
【請求項７】
請求項６に記載の薬液投与装置において、
前記投与量設定ダイヤルの周囲は、前記ダイヤルギヤの一面に有する薬液投与量の目盛表示の目盛と同数の凹凸リブを備え、
本体ハウジング内部は、前記投与量設定ダイヤルの周囲にある前記凹凸リブと係合する凹凸状突起を備え、かつ、
前記クラッチと前記ダイヤルギヤの相互に備わる前記凹凸リブの数は、該ダイヤルギヤの一面に有する薬液投与量の目盛表示の目盛と同数である、
ことを特徴とする薬液投与装置。
【請求項８】
請求項１乃至請求項７のいずれかに記載の薬液投与装置において、
前記投与ボタンと前記投与ハウジングの間に、一端を該投与ボタンに固定し、他端を該投与ハウジングに固定するバネ作用要素を設け、
前記投与ボタンを押下していない状態では、前記バネ作用要素は、該投与ボタンを常に定常位置に復帰させる、
ことを特徴とする薬液投与装置。
【請求項９】
請求項１乃至請求項７のいずれかに記載の薬液投与装置において、
前記クラッチ機構を作動させるために必要な前記投与ボタンの押下する移動量よりも、設定した所望の薬液投与量を完全に投与するために必要な前記投与ボタンの押下する移動量を大きく設定した、
ことを特徴とする薬液投与装置。
【請求項１０】
薬液が封入されたシリンジアンプルを挿着可能であり、
所望の薬液量を設定して投与可能とするため、薬液投与量設定時において投与量設定ダイヤルを回転させて、前記投与量設定ダイヤルと接続された投与ボタンを、所望の薬液投与量に応じて本体ハウジングの長手方向、かつ本体ハウジングの外側方向に押出する投与量設定機構と、
薬液投与時において前記投与ボタンを押下することにより、前記投与ボタンに接続しているピストンロッドが移動して、薬液を封入する前記シリンジアンプルの封止材を押出することにより、前記設定した所望の薬液投与量を投与可能な投与機構を有する薬液投与装置であって、
前記投与ボタンと、前記ピストンロッドとの間に、摩擦作用要素を備えた、
ことを特徴とする薬液投与装置。
【請求項１１】
薬液が封入されたシリンジアンプルを挿着可能であり、
所望の薬液量を設定して投与可能とするため、薬液投与量設定時において投与量設定ダイヤルを回転させて、前記投与量設定ダイヤルと接続された投与ボタンを、所望の薬液投与量に応じて本体ハウジングの長手方向、かつ本体ハウジングの外側方向に押出する投与量設定機構と、
薬液投与時において前記投与ボタンを押下することにより、前記投与ボタンに接続しているピストンロッドが移動して、薬液を封入する前記シリンジアンプルの封止材を押出することにより、前記設定した所望の薬液投与量を投与可能な投与機構を有する薬液投与装置であって、
前記投与量設定機構、及び投与機構は、
前記投与ボタンと接続可能な投与ハウジングと、前記投与量設定ダイヤルと結合し、かつ前記投与ハウジングとも結合しているダイヤルギヤとを備え、前記投与ボタンを押下することにより、前記投与ボタンと前記投与ハウジングが接続し、前記投与ハウジングと接続している前記ダイヤルギヤと、前記ピストンロッドとが接続して、前記封止材を前記ピストンロッドが押出するものであり、かつ、
前記ピストンロッドと、前記ダイヤルギヤとの間に、摩擦作用要素を備えた、
ことを特徴とする薬液投与装置。
【請求項１２】
薬液が封入されたシリンジアンプルを挿着可能であり、
所望の薬液量を設定して投与可能とするため、薬液投与量設定時において投与量設定ダイヤルを回転させて、前記投与量設定ダイヤルと接続された投与ボタンを、所望の薬液投与量に応じて本体ハウジングの長手方向、かつ本体ハウジングの外側方向に押出する投与量設定機構と、
薬液投与時において前記投与ボタンを押下することにより、前記投与ボタンに接続しているピストンロッドが移動して、薬液を封入する前記シリンジアンプルの封止材を押出することにより、前記設定した所望の薬液投与量を投与可能な投与機構を有する薬液投与装置であって、
前記投与量設定機構、及び投与機構は、
前記投与ボタンと接続可能な投与ハウジングと、前記投与量設定ダイヤルと結合し、かつ前記投与ハウジングとも結合しているダイヤルギヤとを備え、前記投与ボタンを押下することにより、前記投与ボタンと前記投与ハウジングとが接続し、前記投与ハウジングと接続している前記ダイヤルギヤと、前記ピストンロッドとが接続して、前記封止材を前記ピストンロッドが押出するものであり、かつ、
前記投与量設定ダイヤルと、前記ダイヤルギヤとの間に、摩擦作用要素を備えた、
ことを特徴とする薬液投与装置。
【発明の詳細な説明】
【技術分野】
【０００１】
本発明は、薬液投与装置に関し、特に、薬液投与量を簡便に設定し、薬液を投与する際の操作性、および装置を携帯する際の携帯性を向上したものに関する。
【背景技術】
【０００２】
従来の薬液投与装置は、所望の薬液投与量を設定するための投与量設定ダイヤルと、設定した所望の薬液投与量を薬液投与装置から投与するためのピストンロッドと、薬液投与時に押下するための投与ボタンと、本体ハウジング等を備えた構成となっていた。
【０００３】
薬液投与量設定のために、投与量設定ダイヤルを回転させ、投与量設定ダイヤルと接続された投与ボタンが設定した所望の薬液投与量に応じて本体ハウジングの長手方向に押出される薬液投与量設定機構を備えている。また薬液投与のために、薬液投与量設定時に本体ハウジングの長手方向、かつ本体ハウジングの外側方向に押出された移動量だけ投与ボタンを押下することにより、投与ボタンに接続しているピストンロッドが移動し、薬液が封入されたシリンジアンプル内のゴムを前記ピストンロッドが押出することで、設定した所望の薬液投与量を投与可能な薬液投与機構を備えている（例えば、特許文献１参照）。
【０００４】
この種の薬液投与装置の代表例は、糖尿病患者によるインスリンの投与や、成長ホルモン分泌不全性低身長症患者によるヒト成長ホルモンの投与を目的とした薬液投与装置が挙げられ、投与行為は患者自らが行うものが多く、とりわけ糖尿病患者は、薬液投与装置を一日中携帯する必要もあり、携帯性と操作性の両方が重要視される。
【特許文献１】特表２００２−５０５５９７号公報
【発明の開示】
【発明が解決しようとする課題】
【０００５】
しかしながら、上記従来の薬液投与装置においては、投与時における前記投与ボタンを押下する移動量に対して、前記ピストンロッドの投与時の移動量は小さく、前記投与ボタンを押下する移動と、前記ピストンロッドの投与時の移動とに関わる機構部の減速比が大きい。上記構成では、投与量設定ダイヤルが設定目盛表示部に対して時計の指針の如く回転する方式であるため、本体ハウジングと比較して前記投与量設定ダイヤルが大型となってしまうという問題がある。
【０００６】
このため薬液投与量設定時においては、一方の手で本体ハウジングを支えかつ他方の手でダイヤルを設定する必要があり、操作性は必ずしも良いとは言えないという課題がある。加えて、減速ギヤを有していない構成のため、前記投与量設定ダイヤルの大型化が顕著であり、薬液投与装置の外観形状による携帯性が良いとはいえないという課題もある。
【０００７】
本発明は、上記のような従来の課題を解決するために創案されたものであり、片手で所望の薬液投与量を設定し、また誤設定した薬液投与量を投与量設定ダイヤルを逆に戻して修正し再設定すること、設定した所望の薬液投与量を確実に投与すること、及び薬液を封入したシリンジを新たに交換することにより装置を再利用することもあわせて達成することのできる、小型の薬液投与装置を提供することを目的とする。
【課題を解決するための手段】
【０００８】
上記従来の課題を解決するために、本発明にかかる薬液投与装置は、薬液が封入されたシリンジアンプルを挿着可能であり、所望の薬液量を設定して投与可能とするため、薬液投与量設定時において投与量設定ダイヤルを回転させて、前記投与量設定ダイヤルと接続された投与ボタンを、所望の薬液投与量に応じて本体ハウジングの長手方向、かつ本体ハウジングの外側方向に押出する投与量設定機構と、薬液投与時において前記投与ボタンを押下することにより、前記投与ボタンに接続しているピストンロッドが移動して、薬液を封入する前記シリンジアンプルの封止材を押出することにより、前記設定した所望の薬液投与量を投与可能な投与機構を有する薬液投与装置であって、前記投与量設定機構、及び投与機構は、前記投与ボタンと接続可能な投与ハウジングと、前記投与ボタンと接続可能な投与ボタンホルダーと、前記投与量設定ダイヤルと結合し、かつ前記投与ハウジングとも結合しているダイヤルギヤと、前記ダイヤルギヤと、前記ピストンロッドとの間の動力伝達を接続、或いは切断するクラッチと、投与時において前記投与ボタンを押下すると、前記投与ボタンが前記投与ボタンホルダーと接続し、前記投与ボタンホルダーが前記クラッチを駆動し、前記ダイヤルギヤと、前記ピストンロッドとの間の動力伝達を可能にするクラッチ機構と、を備え、前記投与ボタンをさらに押下することで、前記投与ボタンと、前記投与ハウジングとが接続し、前記クラッチ機構により、前記投与ハウジングと接続している前記ダイヤルギヤと、前記ピストンロッドとが接続し、薬液を封入している前記シリンジアンプルの封止材を前記ピストンロッドが押出することにより、設定した所望の薬液投与量を投与可能としたことを特徴とするものである。
【０００９】
この構成により、投与装置を小型化することが可能となり、使用者が片手で投与量を設定し、手を持ち変えることなく薬液を投与することができる。また、投与量設定時においては、ピストンロードに影響を与えることが無く設定量を調節して再設定し、投与時においては投与量表示目盛が自動にゼロに戻り、投与完了後は、投与量設定ダイヤル及びダイヤルギヤに影響を与えることが無く、ピストンロードが元の位置に復帰することができる。
【００１０】
また、本発明にかかる薬液投与装置は、前記投与ボタンの一端が、二股に分割された構造を有し、該分割部分の各先端に爪部を、前記投与ボタンホルダーの両側壁内面に鋸部を、前記投与ハウジングの一部に楔状突起を備え、前記投与ボタンを押下した際に、前記投与ハウジングの一部に備わる楔状突起が、前記投与ボタンの前記両分割部分の根本を押し広げ、前記投与ボタンの先端部が広がることで、前記投与ボタン爪部が、前記投与ボタンホルダーの鋸部に係合することを特徴とするものである。
【００１１】
この構成により、投与ボタンは押下されたときは、投与ボタンホルダーと確実に係合することができる。
【００１２】
本発明にかかる薬液投与装置は、前記投与ボタンホルダーの一部に備わる鋸部の断面形状が、直角三角形、もしくは鈍角三角形であり、鋭角を構成する頂点と、直角もしくは鈍角を構成する頂点とを結ぶ前記三角形の一辺が、前記投与ボタンの動作方向に平行し、前記三角形の最も鋭角となる角が、前記投与ボタンの投与時に押下する方向に設けられたことを特徴とするものである。
【００１３】
この構成により、投与ボタンが押下されたときは、投与ボタンホルダーと確実に係合し、投与ボタンが押下から解放された時は、投与ボタンホルダーとの係合が解除され、投与ボタンホルダーが妨げることなく、投与ボタンが元の位置に復帰することができる。
【００１４】
本発明にかかる薬液投与装置は、前記投与ボタンホルダーと前記クラッチとの間に、前記投与ボタンホルダーの動作方向の力を、前記クラッチの動作方向の力へ変換するためのクラッチプレートを備えたことを特徴とするものである。
【００１５】
この構成により、方向変更された投与ボタンホルダーの動力でクラッチを押下して、クラッチとダイヤルギヤを係合させることができる。
【００１６】
本発明にかかる薬液投与装置は、前記クラッチと前記ダイヤルギヤとの間にバネ作用要素を設け、前記バネ作用要素は、クラッチ機構の非動作時に、常に前記クラッチと前記ダイヤルギヤとの係合を開放させることを特徴とするものである。
【００１７】
この構成により、クラッチとダイヤルギヤが、投与ボタンを押下した投与時のみにおいて係合することを確実にすることができる。
【００１８】
本発明にかかる薬液投与装置は、前記クラッチと、前記ダイヤルギヤと、前記投与量設定ダイヤルと、が平行に配置され、前記クラッチと前記ダイヤルギヤとは、相対する面に相互に、該クラッチと該ダイヤルギヤとを相互に係合可能な凹凸リブを備え、クラッチ動作時に前記相互の凹凸リブが係合することにより、前記ダイヤルギヤの動力が前記クラッチに伝達することを特徴とするものである。
【００１９】
この構成により、クラッチが押下された際に、クラッチとダイヤルギヤとの相対する面に相互に備わる凹凸リブにより両者の係合を確実にすることができる。
【００２０】
本発明にかかる薬液投与装置は、前記投与量設定ダイヤルの周囲は、前記ダイヤルギヤの一面に有する薬液投与量の目盛表示の目盛と同数の凹凸リブを備え、本体ハウジング内部は、前記投与量設定ダイヤルの周囲にある前記凹凸リブと係合する凹凸状突起を備え、かつ、前記クラッチと前記ダイヤルギヤの相互に備わる前記凹凸リブの数は、該ダイヤルギヤの一面に有する薬液投与量の目盛表示の目盛と同数であることを特徴とするものである。
【００２１】
この構成により、投与量設定ダイヤルにおける投与量目盛の設定、しいては投与量の設定を段階的に行うことができる。よって、使用者が視覚的のみならず、感覚的にも投与量設定時の目盛操作を行うことができるので操作性を向上できる。また、クラッチとダイヤルギヤとの相対する面に相互に備わる凹凸リブをも、目盛表示の数と同数だけ設けることにより、投与量設定ダイヤルと、それに付随して動作するダイヤルギヤは一目盛分の回転角が一様に規制されるため、クラッチが押下された際に、クラッチとダイヤルギヤとの相対する面に相互に備わる凹凸リブが、確実に係合することが可能となる。
【００２２】
本発明にかかる薬液投与装置は、前記投与ボタンと前記投与ハウジングの間に、一端を該投与ボタンに固定し、他端を該投与ハウジングに固定するバネ作用要素を設け、前記投与ボタンを押下していない状態では、前記バネ作用要素は、該投与ボタンを常に定常位置に復帰させることを特徴とするものである。
【００２３】
この構成により、投与ボタンは押下されない限り、常にその定常位置に復帰することができ、また、投与ハウジングに付随して本体ハウジングから押出されることが可能となる。
【００２４】
本発明にかかる薬液投与装置は、前記クラッチ機構を作動させるために必要な前記投与ボタンの押下する移動量よりも、設定した所望の薬液投与量を完全に投与するために必要な前記投与ボタンの押下する移動量を大きく設定したことを特徴とするものである。
【００２５】
この構成により、使用者は意識することなく投与ボタンを二段階に押すことができ、操作性の高い投与装置を実現できる
【００２６】
本発明にかかる薬液投与装置は、前記投与ボタンと、前記ピストンロッドとの間に、摩擦作用要素を備えたことを特徴とするものである。
【００２７】
この構成により、例えば薬液残量を上回って投与量を設定してしまった場合でも、投与時において摩擦作用要素が働き、装置の破損を防止することができる。
【００２８】
本発明にかかる薬液投与装置は、前記ピストンロッドと、前記ダイヤルギヤとの間に、摩擦作用要素を備えたことを特徴とするものである。
【００２９】
この構成により、薬液残量を上回って投与量を設定してしまった場合でも、投与時において摩擦作用要素が働き、装置の破損を防止することができる。
【００３０】
本発明にかかる薬液投与装置は、前記投与量設定ダイヤルと、前記ダイヤルギヤとの間に、摩擦作用要素を備えたことを特徴とするものである。
【００３１】
この構成により、薬液投与時に、投与量設定ダイヤルを不意に保持、接触した場合でも、投与量設定の表示目盛におけるゼロへの復帰を妨げ、かつ投与量設定ダイヤルの回転軸に対し負荷が生じることを防止することができる。
【発明の効果】
【００３２】
本発明にかかる薬液投与装置によれば、薬液投与量の設定を患者が片手で容易に行い、手を持ち変えることなく、設定した所望の投与量の薬液を確実に投与することができ、携帯性にすぐれた小型の注射装置を実現することができる。当然ながら、薬液投与量を設定するとともに、誤設定した場合設定ダイヤルを逆に戻すことにより薬液投与量を再設定することもできる。また、投与量表示メモリと投与ボタンの動きが対応しているため、投与時にはメモリが逆回転し、自動的にゼロに復帰することができ、さらに、薬液を封入したシリンジを新たに交換することにより、薬液投与装置の再度使用も実現できるという効果がある。
【００３３】
また、本発明にかかる薬液投与装置によれば、投与ボタンからピストンロッドまでの間の機構の中に、摩擦要素を備えているので、薬液残量を上回って投与量を設定してしまった場合、投与時において摩擦作用要素が働き、装置の破損を防止することができ、また投与量設定以外の時に投与量設定ダイヤルを不意に接触した場合、投与量設定ダイヤルの投与量目盛表示におけるゼロへの復帰を妨げることを防止することができる。
【発明を実施するための最良の形態】
【００３４】
以下に、本発明にかかる薬液投与装置の実施の形態を、図面とともに詳細に説明する。
（実施の形態１）
図１は、本発明の実施の形態１による薬液投与装置の全体外観構成を示す図である。図１において、本実施の形態１による薬液投与装置１は、本体ハウジング４を外装とするインジェクター２と、薬液を封入したシリンジアンプル９を内蔵するシリンジホルダー３とから構成される。
【００３５】
薬液投与量設定時は、使用者が薬液投与量表示窓８を目視しながら、投与量設定ダイヤル５を回転させることで、薬液投与量を設定し、投与量設定ダイヤル５が回転すると同時に、投与量設定ダイヤル５と間接に結合している投与ハウジング７と、投与ハウジング７に付随する投与ボタン６が設定した薬液投与量に応じて、本体ハウジング４の長手方向、かつ本体ハウジング４の外側に移動する。
【００３６】
薬液投与時は、薬液投与量設定時に本体ハウジング４の長手方向、かつ本体ハウジング４の外側に移動した投与ボタン６を、薬液投与量設定時に本体ハウジング４の長手方向、かつ本体ハウジング４の外側に移動した移動量だけ押下すると、薬液投与量設定時に設定した薬液投与量の薬液が、シリンジホルダー３に内蔵されたシリンジアンプル９、および注射針１０を経て、薬液投与装置から放出される。
【００３７】
図２は、本発明の実施の形態１による薬液投与装置のインジェクター２の部品構成を、図３は、本発明の実施の形態１における投与量設定ダイヤル５、ダイヤルギヤ１４、および投与ハウジング７の構成を示す図である。
【００３８】
図２において、投与量設定ダイヤル５は、薬液投与量の目盛表示３１を備えたダイヤルギヤ１４と付随して回転し、ダイヤルギヤ１４と、投与ハウジング７とは、図３に示すラック・ピニオンギヤ２３で常に接続している。投与ボタン６は、投与ボタンホルダー１１と接合ないし離脱が可能であり、また、投与ボタン６は、投与ハウジング７と付随して移動する。さらに、クラッチ１３がダイヤルギヤ１４と平行に配置され、クラッチ１３がダイヤルギヤ１４と相対する面の法線方向に移動することで、クラッチ１３とダイヤルギヤ１４とが接合もしくは離脱し、ダイヤルギヤ１４の回転を、クラッチ１３に伝達もしくは切断する。また、投与ボタンホルダー１１とクラッチ１３との間に相互に接合可能なクラッチプレート１２を備える。
【００３９】
本発明では、クラッチ１３と、ピストンロッド１７との間に、キーギヤ１５、および減速ギヤ１６が備わり、クラッチ１３、キーギヤ１５、減速ギヤ１６、およびピストンロッド１７の間は常に接続する。
【００４０】
図４（ａ）は本発明の実施の形態１による薬液投与装置の一部切開斜視図を、図４（ｂ）は薬液投与量設定時における動作フローチャートを示す。薬液投与量設定時は、投与量設定ダイヤル５を回転させると、投与量設定ダイヤル５と付随して回転するダイヤルギヤ１４が回転し、図３に示すダイヤルギヤ１４にラック・ピニオンギヤ２３で接続している投与ハウジング７が、本体ハウジング４の長手方向、かつ本体ハウジング４の外側に移動し、さらに投与ボタン６が投与ハウジング７と付随して移動する。
【００４１】
図５は、本発明の実施の形態１における投与ボタン６、投与ハウジング７、および投与ボタンホルダー１１の構成を、図６は、本発明の実施の形態１における投与ボタン６を押下した状態の構成を示す図である。
【００４２】
薬液投与時は、まず、投与ボタン６を投与ハウジング７まで、すなわち図２のａに示す移動量だけ押下する。投与ボタン６の先端は、二股に分割した形状を有し、投与ボタン６の分割部１９の各先端には、投与ボタン爪部２０を備え、投与ボタンホルダー１１の内部には、各投与ボタン爪部２０と対応した鋸部２１−１を設ける。また、投与ハウジング７には、投与ボタン６の分割部の根本２２の形状に対応した楔状突起１８を備える。
【００４３】
投与ボタン６を投与ハウジング７まで、すなわち図２のａに示す移動量だけ押下する間に、投与ボタンの分割部の根本２２が、投与ハウジング７の楔状突起１８に接合し、投与ボタン６の二股の分割部１９、および両投与ボタン爪部２０間が押し広げられ、図６に示す投与ボタン爪部２０が投与ボタンホルダー１１内部の鋸部２１−１と係合し、投与ボタン６と投与ボタンホルダー１１とが接合する。
【００４４】
また、投与ボタンホルダー内部の鋸部２１−１の形状は、直角三角形もしくは鈍角三角形が好ましく、三角形の鋭角２１−２が投与ボタン６の押下する方向２１−３に備わる形状が良い（図５（ｂ）参照）。なぜなら、投与ボタン６を投与ハウジング７まで、すなわち、図２のａに示す移動量だけ押下する間に、投与ボタン爪部２０と投与ボタンホルダー内部の鋸部２１−１とが確実に係合し、なおかつ薬液投与量設定時には、投与ボタン６が本体ハウジング４の長手方向、かつ本体ハウジング４の外側に移動する際に、投与ボタン爪部２０と投与ボタンホルダー１１内部の鋸部２１−１とが係合しないで、すなわち、投与ボタン爪部２０が投与ボタンホルダー内部の鋸部２１−１に対して接合しないように投与ボタン６が移動する必要があるからである。
【００４５】
図７は、本発明の実施の形態１における、投与ボタン６、投与ハウジング７、および投与ボタン６と、投与ハウジング７との間に設けたバネ作用要素２４の構成を示す図である。
【００４６】
バネ作用要素２４の一端を投与ボタン６に、他端を投与ハウジング７に固定することで、投与ボタン６を押下していない状態では、常に投与ボタン６を定常位置へ復帰させるともに、薬液投与量設定時においては、投与ボタン６と、投与ハウジング７とが本体ハウジング４の長手方向、かつ本体ハウジング４の外側に付随して移動する際に、バネ作用要素２４を介して一体で移動する。
【００４７】
図８（ａ）は、本発明の実施の形態１による薬液投与装置におけるクラッチ機構を示す斜視図、図８（ｂ）は、該クラッチ機構の動作フローチャートを示す図である。投与ボタン６を投与ハウジング７まで、すなわち図２のａに示す移動量だけ押下する間に、投与ボタン６と、投与ボタンホルダー１１が接合されるが、さらに、投与ボタン６を押下して投与ボタンホルダー７を押下することにより、クラッチ１３を押下し、ダイヤルギヤ１４とピストンロッド１７との間の動力伝達が接続可能となるクラッチ機構が働く。
【００４８】
前記クラッチ機構は、薬液投与時のみ、投与ボタン６とピストンロッド１７との動力伝達を接続する機構であり、本発明では、重要な構成要素を担う。すなわち、本クラッチ機構は、
（イ）薬液投与量設定時において、ダイヤルギヤ１４と、ピストンロッド１７との間の動力伝達を切断することにより、ピストンロッド１７が移動することなく、投与ボタン６を本体ハウジング４の長手方向、かつ本体ハウジング４の外側方向に移動させること、
（ロ）薬液投与時に、ダイヤルギヤ１４と、ピストンロッド１７との間の動力を伝達させることにより、投与ボタン６を押下すると、ピストンロッド１７が移動すること、
（ハ）シリンジアンプル９内の薬液を全て投与した後に、ピストンロッド１７を復帰させる場合に、ダイヤルギヤ１４と、ピストンロッド１７との間の動力伝達を切断することにより、ダイヤルギヤ１４に刻まれた薬液投与量の目盛表示３１が動くことなく、ピストンロッド１７のみを復帰させること、を可能にするものである。
【００４９】
本発明におけるクラッチ機構は、上記（イ）のことにより薬液投与量を設定すること、及び設定が間違った時に投与量設定ダイヤル５を設定のときと逆方向に戻して既に設定した薬液投与量を調節し再設定することが可能な薬液投与装置を実現し、上記（ロ）のことにより薬液投与装置の本来の機能である設定した投与量を確実に投与することが可能な薬液投与装置を実現し、上記（ハ）のことにより薬液を封入したシリンジアンプルを新たに交換することで、再度使用可能な薬液投与装置を実現することができる。
【００５０】
図９は、本発明の実施の形態１における、投与ボタンホルダー１１、クラッチプレート１２、クラッチ１３、およびダイヤルギヤ１４の構成を、図１０は、本発明の実施の形態１におけるクラッチ機構の動作時の構成を示す図である。
【００５１】
本発明の実施の形態１では、クラッチ１３と、ダイヤルギヤ１４とが平行に配置され、投与ボタンホルダー１１の押下方向の力を、クラッチ１３の押下方向、すなわちクラッチ１３とダイヤルギヤ１４とが相対する面の法線方向の力に変換する必要がある。
【００５２】
そこで、図１０に示す、Ｌ字型かつ付根に回転のためのヒンジ２５を備えたクラッチプレート１２を設けることで、投与ボタンホルダー１１が押下すると、クラッチプレート１２がヒンジ２５を回転軸として回転しクラッチ１３を押下する構造を実現する。クラッチ１３、およびダイヤルギヤ１４には、相対する面に相互に凹凸リブ２６を設け、クラッチ１３がクラッチプレート１２により押下されると、クラッチ１３、およびダイヤルギヤ１４に備わる相互の凹凸リブ２６が係合し、ダイヤルギヤ１４の回転が、クラッチ１３に伝達可能となる。
【００５３】
図１１は、本発明の実施の形態１における、クラッチ１３、ダイヤルギヤ１４、およびクラッチ１３とダイヤルギヤ１４との間に設けたバネ作用要素３２の構成を示す図である。クラッチ１３とダイヤルギヤ１４との間に設けたバネ作用要素３２を挿入することで、クラッチ１３が押下されない場合は、常にクラッチ１３とダイヤルギヤ１４とが開放される構造を有する。
【００５４】
図１２は、本発明の実施の形態１における、投与量設定ダイヤル５、ダイヤルギヤ１４、およびクラッチ１３の構成を示す図である。
【００５５】
投与量設定ダイヤル５の周囲には、ダイヤルギヤ１４に備わる薬液投与量の目盛表示３１の目盛と同数、すなわち薬液投与装置が一度に設定可能な最大投与量を、設定可能な最小投与量で除算した数だけの凹凸リブ２７を有している。
【００５６】
薬液投与量設定時に、投与量設定ダイヤル５を回転することで、本体ハウジング４内部に設けられた凹凸状突起２８が、投与量設定ダイヤル５の周囲に設けられた前記凹凸リブ２７と係合する構造を、投与量設定ダイヤル５と、本体ハウジング４の間に設け、投与量設定ダイヤル５における投与量目盛を、段階的に設定する。
【００５７】
これにより、使用者が視覚的にとどまらず、感覚的にも投与量設定時の目盛操作を行うことができるので操作性を向上できるとともに、クラッチ１３とダイヤルギヤ１４との相対する面に相互に備わる凹凸リブ２６をも、目盛表示３１の数と同数だけ設けることにより、投与量設定ダイヤル５、および投与量設定ダイヤル５と付随して動作するダイヤルギヤ１４の一目盛分の回転角が規制され、クラッチ１３が押下された際に、クラッチ１３とダイヤルギヤ１４との相対する面に相互に備わる凹凸リブ２６が、確実に係合することが可能となる。
【００５８】
一例を挙げれば、図１２に示す投与量設定ダイヤル５に備わる凸部リブＣを図１２のＤの位置まで回転させた場合、本体ハウジング４に設けられた凹凸状突起２８により、投与量設定ダイヤル５の回転角は、投与量設定ダイヤル５に備わる凹凸部リブ２７の間隔を形成する角度の整数倍に規制され、投与量設定ダイヤル５と付随して回転するダイヤルギヤ１４も、また同様に、ダイヤルギヤ１４に備わる凹凸部リブ２６の間隔を形成する角度の整数倍だけの回転角に規制される。
【００５９】
図１３（ａ）は本発明の実施の形態１による薬液投与装置の、薬液投与時の薬液投与機構の一部切開斜視図を、図１３（ｂ）はその動作フローチャートを示す。投与ボタン６、もしくは投与ボタン６に付随して動作する投与ハウジング７を、本体ハウジング４まで、すなわち図２のｂに示す移動量だけ押下すると、投与ハウジング７が、図３に示すラック・ピニオンギヤ２３で接続しているダイヤルギヤ１４を回転させ、その回転が、該ダイヤルギヤ１４に接続されているクラッチ１３に伝達する。
【００６０】
クラッチ１３、キーギヤ１５、減速ギヤ１６、およびピストンロッド１７の間は、常に接続しているため、ピストンロッド１７が移動し、薬液が封入されたシリンジアンプル９内のゴムをピストンロッド１７が押出することで、設定した薬液投与量だけの薬液を放出する。また、同時にダイヤルギヤ１４が回転することで、付随する投与量設定ダイヤル５も回転するが、投与ボタン６を本体ハウジング４まで、すなわち図２のｂに示す移動量だけ全て押下すると、ダイヤルギヤ１４に備わる薬液投与量の目盛表示３１は、ゼロに復帰し、次回の薬液投与量を設定することが可能となる。
【００６１】
また、投与ボタン６は、本体ハウジング４まで押下られた後、一旦押下から解放されると、バネ作用要素２４により、定常位置に復帰する。それと同時に、投与ボタン６の根本２２と、投与ハウジング７の楔状突起１８との係合がはずれ、そして投与ボタン６の２股分割部１９の先端爪部２０と、投与ボタンホルダー１１の鋸部２１−１との係合もはずれることになる。これにより、投与ボタンホルダー１１がクラッチプレート１２を介してクラッチ１３を押下してクラッチ１３とダイヤルギヤ１４とを係合させる動力が解除され、即ち、クラッチ１３とダイヤルギヤ１４とは、係合の状態から解放される。
【００６２】
図１４（ａ）は本発明の実施の形態１による薬液投与装置における、シリンジアンプル９内の薬液を全て投与し、押下されたピストンロッド１７を復帰させた場合の一部切開斜視図を、図１４（ｂ）はその動作フローチャートを示す。
【００６３】
薬液が封入されたシリンジアンプル９内の薬液を全て投与した後、シリンジアンプル９を新たに交換することにより、薬液投与装置を再度使用可能であれば、便利である。これは押下されたピストンロッド１７を復帰させることで実現可能であるが、ピストンロッド１７が復帰する際に生じる動力が、とりわけ薬液投与量の目盛表示３１を備えるダイヤルギヤ１４に伝達すると、シリンジアンプル９を新たに交換した後において、薬液投与量の目盛表示３１に不具合が生じる。本発明の実施の形態１においては、投与ボタン６を押下しない限り、ピストンロッド１７と、ダイヤルギヤ１４との間で動力が伝達しないように、クラッチ１３が備えられているため、投与ボタン６を押下しない限り、クラッチ１３が押下されることはなく、ピストンロッド１７は、薬液投与量の目盛表示３１に影響を与えることなく、復帰可能である。
【００６４】
すなわち、本発明の実施の形態１では、投与ボタン６を二段階に押すことで、動力伝達のためのクラッチ動作、および、ピストンロッド１７を移動させ薬液を投与するための投与動作を実現するようにしている。この際の操作性を向上させるためには、クラッチ機構を作動させるために必要な投与ボタン６の押下する移動量、すなわち図２のａに示す移動量よりも、投与機構により設定した所望の薬液投与量を完全に投与するために必要な投与ボタン６の押下する移動量、すなわち図２のｂに示す移動量を、大きく設定すると良い。
【００６５】
図１５は、本発明の実施の形態１における、キーギヤ１５、ダイヤルギヤ１４、およびキーギヤ１５とダイヤルギヤ１４との間に備えた摩擦作用要素２９の構成を示す図である。
【００６６】
本発明の実施の形態１においては、キーギヤ１５とダイヤルギヤ１４との間に摩擦作用要素２９を備えたことにより、シリンジアンプル９内に封入された薬液を全て投与した場合に、ピストンロッド１７に負荷される力、および投与時にピストンロッド１７と接続されるクラッチ１３、ダイヤルギヤ１４、キーギヤ１５、減速ギヤ１６の回転軸に作用する負荷を、軽減することが可能である。
【００６７】
例えば、薬液投与量設定時に、シリンジアンプル９内の薬液残量よりも多くの薬液投与量を設定し投与ボタン６を押下した場合、シリンジアンプル９内の薬液を全て投与し終わるまでは正常に薬液投与可能であるが、シリンジアンプル９内の薬液を全て投与した状態で投与ボタン６を更に押下すると、移動不可能な状態のピストンロッド１７を押下するため、ピストンロッド１７、およびピストンロッドと接続しているクラッチ１３、ダイヤルギヤ１４、キーギヤ１５、および減速ギヤ１６の回転軸に負荷が生じる。
【００６８】
そこで、キーギヤ１５と、ダイヤルギヤ１４との間に摩擦作用要素２９を備え、一定の回転トルクに対して空転するように、該摩擦作用要素２９の摩擦力を設定するようにすれば、ピストンロッド１７に作用する負荷を軽減することが可能である。投与ボタン６を押下すると、投与量設定ダイヤル５や、ダイヤルギヤ１４、ダイヤルギヤ１４に備わる薬液投与量の目盛表示３１等が回転するが、投与ボタン６を本体ハウジング４まで、すなわち図２のｂに示す移動量だけ全て押下すると、薬液投与量の目盛表示３１を備えたダイヤルギヤ１４の目盛は、ゼロに復帰することが望ましく、このため、キーギヤ１５とダイヤルギヤ１４との間は空転することが望ましい。これは、キーギヤ１５とダイヤルギヤ１４との間に摩擦作用要素２９を備えることで実現可能である。
【００６９】
また、図１５は、本発明の実施の形態１における、投与量設定ダイヤル５、ダイヤルギヤ１４、および、投与量設定ダイヤル５とダイヤルギヤ１４との間に備えた摩擦作用要素３０の構成を示している。
【００７０】
従来の薬液投与装置では、薬液投与時に投与ボタンを押下した際、投与量設定ダイヤルが回転し、薬液投与量の目盛表示におけるゼロに復帰するが、投与量設定ダイヤルは本体ハウジングから露出しているため、該投与量設定ダイヤルは、薬液投与時に手に接触する可能性がある。また、投与ボタンを押下する際には、投与量設定ダイヤルを手で保持することとなりやすく、この場合は正確な投与が困難であり、加えて投与量設定ダイヤルが回転すると、投与量設定の表示目盛におけるゼロへの復帰を妨げ、かつ投与量設定ダイヤルの回転軸に対し負荷が生じることとなる。
【００７１】
これに対し、本発明の実施の形態１では、投与量設定ダイヤル５と、ダイヤルギヤ１４との間に摩擦作用要素３０を備えるようにし、かつ、該摩擦作用要素３０の摩擦力は、薬液投与時に、投与量設定ダイヤルを手で保持もしくは接触した場合に、投与量設定ダイヤル５とダイヤルギヤ１４とが空転するように設定するのが良いものであり、これにより、薬液投与時に、投与量設定ダイヤル５を不意に保持、接触した場合でも、投与量設定の表示目盛におけるゼロへの復帰を妨げ、かつ投与量設定ダイヤルの回転軸に対し負荷が生じることを防止することができる。
【００７２】
このように、本発明の実施の形態１による薬液投与装置では、本体ハウジング４内の縦方向に、側面に投与量目盛としての凹凸リブ２７を有する円盤の投与量設定ダイヤル５と、前記設定ダイヤル５と付随して回転し、投与量の目盛表示を有するダイヤルギヤ１４と、ラック・ピニオンギヤ２３で前記ダイヤルギヤ１４に接続されている投与ハウジング７と、投与ハウジングと付随して移動する投与ボタン６とを備え、前記設定ダイヤル５を回すことにより前記ダイヤルギヤ１４を回転させ、前記投与ハウジング７と投与ボタン６を設定した投与量に応じて本体ハウジング４から押出して投与量を設定するようにしたので、装置を小型化することにより、使用者が片手で投与量を設定し、手を持ち変えることなく薬液を投与することができる。また、小型の投与量設定ダイヤル５がほぼ本体ケースに内包されているため、使用者が不意に投与量設定ダイヤル５に接触する可能性も少なくなる。
【００７３】
また、投与ボタン６とピストンロッド７との間に、前記ダイヤルギヤ１４の動力伝達をピストンロッド７に接続若しくは切断するクラッチ１３と、前記投与ボタン６の押下方向の動力を前記クラッチ１３の動作方向の動力に変換するクラッチプレート１２とを設け、薬液投与量設定時においては、クラッチ１３は、ダイヤルギヤ１４とピストンロッド７との動力伝達関係を切断し、投与量設定ダイヤル５及びダイヤルギヤ１４の回転が投与ハウジング７及び投与ボタン６のみを本体ハウジング４から押出し、薬液投与時においては、前記投与ボタン６の押下よりクラッチプレート１２がクラッチ１３を押下してダイヤルギヤ１４と係合し、さらに投与ボタン６を押下すると、投与量設定ダイヤル５に付随して回転するダイヤルギヤ１４の逆回転動力が、クラッチ１３を介してピストンロッド７の移動動力となり、ピストンロッド７の移動により、設定した所望の投与量の薬液を押出すようにしたので、設定した所望の投与量を確実に投与できると共に、投与量設定時においては、投与量設定ダイヤル５及びダイヤルギヤ１４は構造上、ピストンロッド７から独立しているため、薬液投与量を誤設定した場合では、ピストンロッド７に影響を与えることなく設定ダイヤル５を逆方向に戻して投与量を再設定することができる。投与完了した時投与ボタン６を押下しないため、クラッチプレート１２はクラッチ１３を押下してダイヤルギヤ１４と係合することがなくなり、投与完了後のピストンロード７が、設定ダイヤル５とダイヤルギヤ１４に影響を与えることなく、押出した位置から元の位置に復帰することができるので、装置として再利用することが可能となる。
【００７４】
即ち、本装置の内部構造を二組のラック＆ピ二オンギヤ（投与ハウジング７上のラックとラック・ピニオンギヤ２３の組、及びピストンロード７に接続しているラックと減速ギヤ１６の組）と、双方の動力の伝達を選択的に切り替え可能なクラッチプレート１２を採用することで、投与量設定時はピストンロッド７を動作させず、投与時のみ動作させることが可能となり、この動作の切り替えにより投与量設定時に設定値の修正可能、及び投与完了後のピストンロードの復帰を実現している。また、このクラッチの選択的な切り替え動作のために特別なスイッチは必要とせず、患者はクラッチによる切り替えを意識することなく、投与量設定および投与をすることができる。
【００７５】
また、投与量設定ダイヤル５及びダイヤルギヤ１４の回転と投与ボタン６の動きが対応するようにしたので、投与時には投与量設定ダイヤル５及びダイヤルギヤ１４上の目盛が逆回転し、目盛は自動的にゼロに復帰することができる。
【００７６】
さらに、キーギヤ１５とダイヤルギヤ１４との間に摩擦作用要素２９を設けるようにしたので、残り少なくなったシリンジアンプル内の薬液残量を上回って、投与量を設定してしまった場合でも、投与時において摩擦作用要素２９が働き、装置の破損を防止することができる。
【００７７】
さらに、投与量設定ダイヤル５とダイヤルギヤ１４との間に備えた摩擦作用要素３０を設けるようにしたので、薬液投与時に、投与量設定ダイヤル５を不意に保持、接触した場合でも、投与量設定の表示目盛におけるゼロへの復帰を妨げ、かつ投与量設定ダイヤルの回転軸に対し負荷が生じることを防止することができる。
【産業上の利用可能性】
【００７８】
本発明にかかる薬液投与装置は、所望の薬液投与量を設定できるとともに、誤設定した薬液投与量を設定ダイヤルを逆に戻して調節し再設定することが可能で、また、設定した所望の薬液投与量を確実に投与し、薬液投与と同時に投与量設定目盛が自動的にゼロに戻り、さらに薬液を封入したシリンジを新たに交換することで装置を再度使用することができるという効果を有し、特に、薬液投与行為を日常としている使用者にとって投与行為の操作負担を軽減し、携帯性にも優れた薬液投与装置として有用である。
【図面の簡単な説明】
【００７９】
【図１】本発明の実施の形態１による薬液投与装置の全体外観構成を示す図である。
【図２】本発明の実施の形態１による薬液投与装置のインジェクター２の部品構成を示す図である。
【図３】本発明の実施の形態１による薬液投与装置の、投与量設定ダイヤル５、ダイヤルギヤ１４、および投与ハウジング７の構成を示す図である。
【図４（ａ）】本発明の実施の形態１による薬液投与装置の、投与量設定ダイヤル５、ダイヤルギヤ１４、および投与ハウジング７の、図３の裏面方向からの構成を示す図である。
【図４（ｂ）】本発明の実施の形態１による薬液投与装置の、薬液投与量設定時における動作フローチャートである。
【図５（ａ）】本発明の実施の形態１による薬液投与装置の、投与ボタン６、投与ハウジング７、および投与ボタンホルダー１１の構成を示す図である。
【図５（ｂ）】本発明の実施の形態１による薬液投与装置の投与ボタンホルダー１１の部分構成を拡大した図である。
【図６】本発明の実施の形態１による薬液投与装置の、投与ボタン６を押下した際の投与ボタン６、および投与ボタンホルダー１１の構成を示す図である。
【図７】本発明の実施の形態１による薬液投与装置の、投与ボタン６、投与ハウジング７、および投与ボタン６と投与ハウジング７との間に設けたバネ作用要素２４の構成を示す図である。
【図８（ａ）】本発明の実施の形態１による薬液投与装置の、投与ボタン６、投与ボタンホルダー１１、クラッチ１３とダイヤルギヤ１４、およびクラッチプレート１２を示す斜視図である。
【図８（ｂ）】本発明の実施の形態１による薬液投与装置の、クラッチ機構の動作フローチャートである。
【図９】本発明の実施の形態１による薬液投与装置の、投与ボタンホルダー１１、クラッチプレート１２、クラッチ１３、およびダイヤルギヤ１４の構成を示す図である。
【図１０】本発明の実施の形態１による薬液投与装置の、クラッチ機構動作時の構成を示す図である。
【図１１】本発明の実施の形態１による薬液投与装置の、クラッチ１３、ダイヤルギヤ１４、およびクラッチ１３とダイヤルギヤ１４との間に設けたバネ作用要素３２の構成を示す図である。
【図１２】本発明の実施の形態１による薬液投与装置の、投与量設定ダイヤル５、ダイヤルギヤ１４、およびクラッチ１３の構成を示す図である。
【図１３（ａ）】本発明の実施の形態１による薬液投与装置の、薬液投与機構を示す斜視図である。
【図１３（ｂ）】本発明の実施の形態１による薬液投与装置の、薬液投与時の薬液投与機構の動作フローチャートである。
【図１４（ａ）】本発明の実施の形態１による薬液投与装置の、薬液投与機構の、シリンジアンプル内の薬液を全て投与し、押下されたピストンロッドを復帰させた状態の斜視図である。
【図１４（ｂ）】本発明の実施の形態１による薬液投与装置の、シリンジアンプル９内の薬液を全て投与し、押下されたピストンロッド１７を復帰させた場合の動作フローチャートである。
【図１５】本発明の実施の形態１による薬液投与装置の、キーギヤ１５とダイヤルギヤ１４との間に備えた摩擦作用要素２９、および投与量設定ダイヤル５とダイヤルギヤ１４との間に備えた摩擦作用要素３０の構成を示す図である。
【符号の説明】
【００８０】
１  薬液投与装置
２  インジェクター
３  シリンジホルダー
４  本体ハウジング
５  投与量設定ダイヤル
６  投与ボタン
７  投与ハウジング
８  薬液投与量表示窓
９  シリンジアンプル
１０  注射針
１１  投与ボタンホルダー
１２  クラッチプレート
１３  クラッチ
１４  ダイヤルギヤ
１５  キーギヤ
１６  減速ギヤ
１７  ピストンロッド
１８  投与ハウジング楔状突起
１９  投与ボタン分割部
２０  投与ボタン爪部
２１−１  投与ボタンホルダー鋸部
２１−２  投与ボタンホルダー鋸部鋭角部分
２１−３  投与ボタンの押下する方向
２２  投与ボタンの分割部根本
２３  ラック・ピニオンギヤ
２４  投与ボタンと投与ハウジングとの間に設けたバネ作用要素
２５  クラッチプレートヒンジ
２６  クラッチとダイヤルギヤとの相対する面に相互に備わる凹凸リブ
２７  投与量設定ダイヤル周囲に設けた投与量目盛を示す凹凸リブ
２８  本体ハウジングに設けられた凹凸状突起
２９  キーギヤとダイヤルギヤとの間に設けた摩擦作用要素
３０  投与量設定ダイヤルとダイヤルギヤとの間に設けた摩擦作用要素
３１  ダイヤルギヤに備わる薬液投与量の目盛表示
３２  クラッチとダイヤルギヤとの間に設けたバネ作用要素
【図１】
2005261685.tif 000003
【図２】
2005261685.tif 000004
【図３】
2005261685.tif 000005
【図４（ａ）】
2005261685.tif 000006
【図４（ｂ）】
2005261685.tif 000007
【図５（ａ）】
2005261685.tif 000008
【図５（ｂ）】
2005261685.tif 000009
【図６】
2005261685.tif 000010
【図７】
2005261685.tif 000011
【図８（ａ）】
2005261685.tif 000012
【図８（ｂ）】
2005261685.tif 000013
【図９】
2005261685.tif 000014
【図１０】
2005261685.tif 000015
【図１１】
2005261685.tif 000016
【図１２】
2005261685.tif 000017
【図１３（ａ）】
2005261685.tif 000018
【図１３（ｂ）】
2005261685.tif 000019
【図１４（ａ）】
2005261685.tif 000020
【図１４（ｂ）】
2005261685.tif 000021
【図１５】
2005261685.tif 000022